(57)【要約】【課題】低背化に有利であるコネクタを提供する。【解決手段】コネクタにおいて、対向する上下壁と、上下壁とを連接する先端壁とを有する延出部が設けられるインシュレータと、前記インシュレータに装着される複数の端子と、前記インシュレータの上下壁をそれぞれ覆うシェルとを含む。前記延出部の上下壁の少なくともの一つ壁に凹部が窪んで形成され、該凹部の先端が前記延出部の先端壁を貫通し、前記凹部の底壁と前記シェルとの間に収容空間が形成され、且つ前記凹部の底壁に前記収容空間に連通する収容溝が形成され、前記端子が前記収容溝に延出する接触部を有する。【選択図】図２
2008004525.tif 000002
【特許請求の範囲】
【請求項１】
対向する上下壁と、上下壁とを連接する先端壁とを有する延出部が設けられるインシュレータと、
前記インシュレータに装着される複数の端子と、
前記インシュレータの上下壁にそれぞれ覆うシェルと
を含むコネクタにおいて、
前記延出部の上下壁の少なくともの一つ壁に凹部が窪んで形成され、該凹部の先端が前記延出部の先端壁を貫通し、前記凹部の底壁と前記シェルとの間に収容空間が形成され、且つ前記凹部の底壁に前記収容空間に連通する収容溝が形成され、前記端子が前記収容溝に延出する接触部を有することを特徴とするコネクタ。
【請求項２】
前記凹部が前記延出部の上下壁にそれぞれ窪んで形成され、前記上下壁に形成された両凹部の底壁の間に嵌合部が形成され、前記両凹部の底壁は前記嵌合部の上下壁にそれぞれであることを特徴とする、請求項１に記載のコネクタ。
【請求項３】
前記延出部は、前記嵌合部の両端に形成される平板部を含み、前記平板部が前記嵌合部の両端部に連接することを特徴とする、請求項２に記載のコネクタ。
【請求項４】
前記収容溝が前記嵌合部の上下壁にそれぞれ形成され、且つ、前記嵌合部の上壁に形成された収容溝と嵌合部の下壁に形成された収容溝は交互に並設されることを特徴とする、請求項２に記載のコネクタ。
【請求項５】
前記シェルは、前記延出部の上下壁をそれぞれ覆う第１シェル及び第２シェルと、前記第１シェルと第２シェルとを連接し、前記延出部の先端壁の両端を覆う連接部と、を有することを特徴とする、請求項１に記載のコネクタ。
【発明の詳細な説明】
【技術分野】
【０００１】
本発明は、コネクタに関し、特に、携帯型情報末端（ＰＤＡ）等にインターフェースとして組み込まれるコネクタに関するものである。
【背景技術】
【０００２】
従来技術は特許文献１に示すように、従来のコネクタは、インシュレータと、インシュレータに整列して保持される複数の端子と、インシュレータの外方に覆っているシェルと、を含み、前記インシュレータは、長手方向の基部と、基部から前向きに延在するように形成される嵌合部とを有する。前記嵌合部には収容空間を凹んで形成され、前記端子が前記収容空間へ突出するように形成されるコンタクトと、インシュレータを突出するように形成されるテールとを有する。
【特許文献１】特許公開２００４-１５８２８８号公報
【発明の開示】
【発明が解決しようとする課題】
【０００３】
しかしながら、前記端子が収容空間へ突出するようにインシュレータに整列され、コネクタの長手方向での寸法が所定された場合は、隣接する端子のピッチが狭くなければならず、端子の信号を伝送するのが妨害される恐れがあった。また、前記収容空間がインシュレータの嵌合部からなり、前記シェルがインシュレータの外方に覆っているので、インシュレータの嵌合部が所定の厚さを保持することが必要になり、こうして、コネクタの低背化に不利になっている。そこで、上述した欠点に鑑みて、新型な電気コネクタを開発することが必要である。
【０００４】
本発明は、低背化に有利であるコネクタを提供することを目的とする。
【課題を解決するための手段】
【０００５】
前記目的を達成するために、本発明では、対向する上下壁と、上下壁とを連接する先端壁とを有する延出部が設けられるインシュレータと、
前記インシュレータに装着される複数の端子と、
前記インシュレータの上下壁にそれぞれ覆うシェルと
を含むコネクタにおいて、
前記延出部の上下壁の少なくともの一つ壁に凹部が窪んで形成され、該凹部の先端が前記延出部の先端壁を貫通し、前記凹部の底壁と前記シェルとの間に収容空間がからなり、且つ前記凹部の底壁に前記収容空間に連通する収容溝が形成され、前記端子が前記収容溝に延出する接触部を有することを特徴とするコネクタが得られる。
【発明の効果】
【０００６】
従来の技術に比べると、本発明は以下の長所がある。コネクタは、延出部の上下壁に凹部が窪んで形成され、且つ前記凹部の底壁と前記シェルとの間に収容空間がからなることにより、インシュレータの延出部が薄くなり、コネクタの低背化に有利になっている。
【発明を実施するための最良の形態】
【０００７】
図１〜図７に基づいて、本発明のコネクタについて説明する。本発明のコネクタ１００は、インシュレータ１０と、インシュレータ１０に保持される複数の端子２０と、インシュレータ１０の外側を覆っているシェル３０と、を含む。
【０００８】
図２を参照すると、前記インシュレータ１０は、長手方向での基部１１０と、基部１１０から前向きに延出するように形成される延出部１２０とを有し、延出部１２０は、相対した上下壁と、上下壁を垂直に連接する先端壁とを含み、前記上下壁には先端壁を貫通するように窪んで形成される凹部１２１がそれぞれ設けられ、延出部１２０の上下壁の中間には前記両凹部１２１を連接するように相手コネクタに嵌合する嵌合部１２２が形成される。凹部１２１の両端に前記嵌合部１２２に連接する平板部１２３が形成される。インシュレータ１０には、端子２０を装着するための複数の端子溝１３０が形成され、複数の端子溝１３０は前記基部１１０をそれぞれ貫通するように長手方向に沿って嵌合部１２２の上下壁にそれぞれ交互に並設される。
【０００９】
図４乃至図６を参照して、前記端子２０は、前記インシュレータ１０の端子溝１３０に対応し装着され、細長い金属板からなり、一端に接触部２２０と、接触部から長さ方向に延在するようにインシュレータ１０に保持される保持部２１０と、保持部２１０から長さ方向に延在し形成されるテール部２３０とを有する。前記端子２０の接触部２１０のコンタクト面は前記金属板の表面にあることで、端子２０の接触効果と弾性変形能力を増大できる。前記端子溝１３０が嵌合部１２２の上下壁にそれぞれ交互に並設されるので、端子２０の接触部２２０の弾性変形の空間が増加するとともにインシュレータ１０の嵌合部１２２が薄くなり得る。接触部２２０の先端には当接部２２１が形成され、前記端子溝１３０の先端には前記当接部２２１に当接するための凸部１２６が形成され、当接部２２１が凸部１２６に当接することにより接触部２２０の外方への変形が防止できる。
【００１０】
前記図１と図２と図７を参照すると、前記シェル３０は金属板からなり、第１シェル３１０と、第２シェル３２０と、第１シェル３１０と第２シェル３２０とを連接するための連接部３３０と、を含み、前記第１シェル３１０と第２シェル３２０は延出部１２０の上下壁をそれぞれ覆い、連接部３３０が前記インシュレータ１０の平板部１２３を覆っている。第１シェル３０には、相手コネクタ２００への嵌合をガイドするために、前記平板部１２３へ凹んで形成されるスリット３１１が設けられる。第２シェル３２０には先端にロック部３２２を有する係合アーム３２１が形成され、該係合アーム３２１によりコネクタ１００と相手コネクタ２００との嵌合を係合している。
【００１１】
前記インシュレータ１０の延出部１２０の上下壁には凹部１２１がそれぞれ形成され、且つ、上下壁の凹部１２１の間に嵌合部１２２が形成されるので、前記第１シェル３１０と第２シェル３２０及び嵌合部１２２の上下壁の間には相手コネクタ２００の嵌合部を収容するための収容空間３００がそれぞれ形成される。該収容空間３００の一側はインシュレータ１０であり、他側はシェル３０であるので、インシュレータ１０の嵌合部１２２が薄くなり、コネクタ１００の低背化に有利になっている。
【００１２】
以上本発明についてよい実施の形態を参照して詳細に説明したが、実施形態はあくまでも例示的なものであり、これらに限定されるものではない。また前記の説明は、本発明に基づきなしうる細部の修正或は変更など、いずれも本発明の請求範囲に属するものとする。
【図面の簡単な説明】
【００１３】
【図１】本発明に係るコネクタの組立斜視図である。
【図２】本発明に係るコネクタの斜視図であり、シェルがインシュレータに組み付けない斜視図である。
【図３】図２に示すコネクタのほかの角度から見る組立斜視図である。
【図４】図２に示すコネクタの正面図である。
【図５】図４に示すＡ-Ａ線に沿う断面図である。
【図６】図４に示すＢ-Ｂ線に沿う断面図である。
【図７】本発明に係るコネクタと相手コネクタとの組立斜視図である。
【符号の説明】
【００１４】
１００  コネクタ
１０  インシュレータ
２０  端子
３０  シェル
１１０  基部
１２０  延出部
１２１  凹部
１２２  嵌合部
１２３  平板部
１２６  凸部
１３０  端子溝
２１０  保持部
２２０  接触部
２２１  当接部
２３０  テール部
３００  収容空間
３１０  第１シェル
３２０  第２シェル
３２１  係合アーム
３２２  ロック部
３３０  連接部
【図１】
2008004525.tif 000003
【図２】
2008004525.tif 000004
【図３】
2008004525.tif 000005
【図４】
2008004525.tif 000006
【図５】
2008004525.tif 000007
【図６】
2008004525.tif 000008
【図７】
2008004525.tif 000009